(57)【要約】【課題】放送受信機が臨時情報を受信した際に、放送受信機の電源投入の有無によらず、また放送受信装置の電源が投入されている場合に表示している番組とは別の番組で臨時情報が放送された場合に視聴している番組を中断することなく、また、放送された臨時情報を見逃してしまった場合でも、臨時情報の内容を即座に知れる。【解決手段】放送受信装置は、電源投入の有無によらず臨時情報の放送されたことを検出する臨時情報検出手段と、受信した臨時情報を電源投入の有無によらず外部に転送する臨時情報転送手段とを備え、リモコンは、放送受信機から転送された臨時情報を受信する臨時情報受信手段と、受信した臨時情報を表示する表示手段と、受信した臨時情報を記憶する記憶手段と、臨時情報を受信したことを示す臨時情報受信通知手段と、受信した臨時情報を表示手段に表示することを指示する臨時情報を表示指示手段とを備える。【選択図】        図１
2004336413.tif 000002
【特許請求の範囲】
【請求項１】
映像情報、音声情報、データ情報を多重化して送信される放送波を受信して再生を行う放送受信装置に於いて、
前記受信装置は、受信した情報に臨時情報が含まれていることを判断する臨時情報検出手段と、
前記臨時情報検出手段により、受信した情報の中に臨時情報が含まれていること検出したことにより、受信した情報の中から臨時情報に関する情報を選別する臨時情報選別手段と、
前記臨時情報選別手段により選別された臨時情報に関する情報を送信する送信手段と、
を備えることを特徴とする放送受信装置。
【請求項２】
前記放送受信装置は更に、前記放送受信装置に供給する電源と、前記臨時情報検出手段と前記臨時情報選別手段と前記送信手段とに供給する電源とを生成する電源供給手段を備えることを特徴とする、請求項１に記載の放送受信装置。
【請求項３】
前記送信手段は、前記臨時情報選別手段により選別された臨時情報に関する情報を電波にて送信することを特徴とする、請求項１及び請求項２に記載の放送受信装置。
【請求項４】
前記送信手段は、前記臨時情報選別手段により選別された臨時情報に関する情報を、公衆回線網を介して送信することを特徴とする、請求項１及び請求項２に記載の放送受信装置。
【請求項５】
臨時情報を受信する受信手段と、
前記受信手段により臨時情報を受信したことを示す臨時情報受信通知手段と、
前記受信手段により受信した臨時情報を記憶する記憶手段と、
前記記憶手段に記憶している臨時情報を表示する表示手段と、
前記表示手段に前記記憶手段に記憶している臨時情報を表示することを指示する臨時情報表示指示手段と、
を備えることを特徴とする臨時情報受信装置。
【請求項６】
前記臨時情報受信通知手段は、臨時情報を受信したことを視覚的に通知することを特徴とする、請求項５に記載の臨時情報受信装置。
【請求項７】
前記臨時情報受信通知手段は、臨時情報を受信したことを聴覚的に通知することを特徴とする、請求項５に記載の臨時情報受信装置。
【請求項８】
映像情報、音声情報、データ情報を多重化して送信される放送波を受信して再生を行う放送受信装置に於いて、
前記受信装置は、受信した情報に臨時情報が含まれていることを判断する臨時情報検出工程と、
前記臨時情報検出工程により、受信した情報の中に臨時情報が含まれていること検出したことにより、受信した情報の中から臨時情報に関する情報を選別する臨時情報選別工程と、
前記臨時情報選別工程により選別された臨時情報に関する情報を送信する送信工程と、
を有することを特徴とする放送受信方式。
【請求項９】
前記放送受信方式は更に、前記送信工程による臨時情報に関する情報の送信手段を選択する送信先選択工程を有し、更に前記送信工程は、前記送信先選択工程により選択された手段にて送信することを特徴とする、請求項８に記載の放送受信方式。
【請求項１０】
前記送信手段は、電波を用いた手段であることを特徴とする、請求項９に記載の放送受信方式。
【請求項１１】
前記送信手段は、公衆回線網を用いた手段であることを特徴とする、請求項９に記載の放送受信方式。
【請求項１２】
臨時情報を受信する受信工程と、
前記受信工程により臨時情報を受信したことを示す臨時情報受信通知工程と、
前記受信工程により受信した臨時情報を記憶する記憶工程と、
前記記憶工程により記憶した臨時情報の表示を指示する臨時情報表示指示工程と、
前記臨時情報表示指示工程により、前記記憶工程により記憶した臨時情報の表示を行う表示工程と、
を有することを特徴とする臨時情報受信方式。
【請求項１３】
前記臨時情報受信通知工程は、臨時情報を受信したことを視覚的に通知することを特徴とする、請求項１２に記載の臨時情報受信方式。
【請求項１４】
前記臨時情報受信通知工程は、臨時情報を受信したことを聴覚的に通知することを特徴とする、請求項１２に記載の臨時情報受信方式。
【発明の詳細な説明】
【０００１】
【発明の属する技術分野】
本発明は、放送波に緊急情報等の臨時情報が付加されて放送されるテレビジョン放送等の広域放送サービスに於いて、受信した臨時情報の表示方法に関するものである。
【０００２】
【従来の技術】
近年、テレビジョン放送の方式として、従来のアナログ方式からデジタル方式への検討が開始され、デジタル化という新たな技術革新を契機として、テレビジョン放送が情報通信メディアとして更に高度化し、飛躍的な発展を遂げようとしている。既に国内では、ＰｅｒｆｅｃｔＴＶやＤｉｒｅｃｔＴＶなどのＣＳ（Ｃｏｍｍｕｎｉｃａｔｉｏｎ  Ｓａｔｅｌｌｉｔｅ：通信衛星）を用いた放送や、ＢＳ（Ｂｒｏａｄｃａｓｔｉｎｇ  Ｓａｔｅｌｌｉｔｅ：放送衛星）を用いた放送でデジタル化が実現されている。更に現在、地上波においてもデジタル化の検討が進められており、近い将来、全ての放送波がデジタル方式に変わろうとしている。
【０００３】
デジタルテレビジョン放送のメリットは、アナログ方式では１チャンネル分に相当する周波数帯域で、デジタル方式では３チャンネルの番組を伝送することができ、多チャンネル化が可能となることである。これにより、ニュースやスポーツ、或いはドラマなどを組み合わせたマルチ番組（混合多重編成番組）や、一つのチャンネル内で異なる三つの番組を放送するマルチチャンネル放送など、新たなサービスが実現される。
【０００４】
更にデジタルテレビジョン放送では、映像や音声の放送に限らず、各種のデータ放送を付加した統合型の放送サービスが可能となる。データ放送を付加したサービスとしては、テレビ番組にデータ情報を付加してマルチメディア的サービスを提供するものと、テレビ番組とは別の独立したサービスを提供するものとに分けられ、主なサービスとしては、視聴者参加型テレビ，ホームショッピング，各種情報サービス，いつでも好きな時に見ることのできる天気予報やニュースなどが挙げられる。
【０００５】
このようなデジタルテレビジョン放送では、例えば地震情報や台風情報のような緊急情報や選挙時の開票情報のような速報情報は、データ放送を用いて文字情報として映像・音声情報に多重されて放送される。
【０００６】
従来、このような緊急情報や速報情報のような臨時情報を放送受信装置が受信した場合、表示している映像情報上に文字情報として表示している。そのため、視聴者が臨時情報の放送された放送事業者のものとは別の番組を視聴していたり、放送受信装置の電源が投入されていないような場合、視聴者は臨時情報を知ることができなかった。
【０００７】
このような課題を解決するために、特開平１１−１４６３７７号公報「緊急情報伝達システム」では、放送情報に緊急度を示す属性情報を付加し、放送受信装置では属性情報に基づいて予め定められた手順を行う緊急情報伝達システムについて述べられている。
【０００８】
即ちここでは、付加された属性情報に基づき、緊急度が高い場合には視聴している番組から自動的に緊急番組に切り替えて表示したり、放送受信装置の電源が投入されていない状態で緊急情報を受信した場合、緊急度に応じて、緊急度が高い場合には放送受信装置の電源を自動的に投入して緊急情報を表示し、緊急度が低い場合には緊急情報を一旦放送受信装置内部の記憶装置に記憶し、次回放送受信装置の電源が投入されたときに自動的に記憶装置に記憶されている緊急情報を最優先に表示するという機能について述べられている。
【０００９】
【発明が解決しようとする課題】
しかしながら上述した従来の臨時情報表示手段では、視聴している番組とは別の緊急番組に自動的に切り替えられた場合、例えばスポーツの得点シーンのような重要な場面を見逃してしまう恐れがある。また、放送受信装置の電源が投入されていない状態で緊急情報を受信し、自動的に放送受信装置の電源を投入して緊急情報を表示しても、視聴者はその場にいない恐れがある。また、次回放送受信装置の電源が投入さるまで緊急情報が表示されない場合、それまで視聴者は緊急放送のあったことを知ることができず、即座に緊急な情報を知ることができない。
【００１０】
更に従来の臨時情報表示手段では、緊急放送の行われた番組を表示していたとしても、緊急放送を見逃してしまった場合、次に緊急放送が放送されない限りその情報を知ることができなかった。
【００１１】
本発明は前記従来の問題点に鑑みてなされたものであり、放送受信装置が臨時情報を受信した際に、放送受信装置の電源投入の有無によらず、また放送受信装置の電源が投入されている場合に表示している番組とは別の番組で臨時情報が放送された場合に視聴している番組を中断することなく、また、放送された臨時情報を見逃してしまった場合でも、臨時情報の内容を即座に知ることができる手段を提供するものである。
【００１２】
【課題を解決するための手段】
上記目的を達成するために、本発明では、映像情報，音声情報に緊急情報等の臨時情報が多重化されて放送されるテレビジョン放送等の広域放送サービスに於いて、放送受信装置は、電源投入の有無によらず臨時情報の放送されたことを検出する臨時情報検出手段と、臨時情報検出手段により臨時情報の放送されたことを検出したことにより、受信した臨時情報を電源投入の有無によらず外部に転送する臨時情報転送手段とを備え、放送受信装置に付随するリモートコントローラは、放送受信装置から転送された臨時情報を受信する臨時情報受信手段と、受信した臨時情報を表示する表示手段と、受信した臨時情報を記憶する記憶手段と、臨時情報を受信したことを示す臨時情報受信通知手段と、受信した臨時情報を表示手段に表示することを指示する臨時情報を表示指示手段とを備える。
【００１３】
【発明の実施の形態】
以下に図面を参照して、本発明の実施の形態を詳細に説明する。
【００１４】
（第１実施例）
図１は、本発明の一実施形態としての放送受信装置１０の構成を示したブロック図である。
【００１５】
受信アンテナ１０１にて受信された放送波は、復調部１０２にて変調処理前のデジタル信号に復元される。復元されたデジタル信号は、誤り訂正部１０３にてデータの欠損やデータ化けが起きていないかチェックされ、もし何らかのデータ異常が発生していた場合には正しいデータへの修復が行われる。誤り訂正部１０３にてチェックされた信号は、次に多重分離部１０４にて映像、音声及び緊急情報等の臨時情報を含む各種データの放送素材毎に分離される。多重分離部１０４にて分離された各放送素材のうち、音声情報に関しては、音声復号化部１０５にて、ＣＰＵ１１０により指定されるチャンネルに関する音声情報を、符号化される前の音声情報に変換し、外部に接続されたスピーカ１１７で可聴音として再生され、映像情報に関しては、映像復号化部１０６にて、ＣＰＵ１１０により指定されるチャンネルに関する映像情報を、符号化される前の映像情報に変換し、映像信号合成処理部１０８にてグラフィックコントローラ１１３から出力される画像データと合成処理された後、放送受信装置の有する表示部、或いは外部に接続された表示装置１１８へ出力されて再生される。
【００１６】
データ放送として送られてきた各種データ情報に関しては、データ復号化部１０７にて符号化されたデータ情報を符号化される前のデータ情報に変換され、ＣＰＵ１１０に渡される。
【００１７】
各種データ情報には、緊急情報のように文字データで構成されるものや放送番組に関連する静止画データで構成されるものがあり、静止画データの符号化方式としてはＪＰＥＧ（Ｊｏｉｎｔ  Ｐｈｏｔｏｇｒａｐｈｉｃ  Ｅｘｐｅｒｔｓ  Ｇｒｏｕｐ）やＰＮＧ（Ｐｏｒｔａｂｌｅ  Ｎｅｔｗｏｒｋ  Ｇｒａｐｈｉｃｓ）或いはＭＮＧ（Ｍｕｌｔｉｐｌｅ−ｉｍａｇｅ  Ｎｅｔｗｏｒｋ  Ｇｒａｐｈｉｃｓ）といった圧縮アルゴリズムが用いられ、文字データの符号化方式としては漢字を２バイト、英数字を１バイトで表現し、制御符号でこれらの文字集合を切換える８単位符号方式が用いられる。各種データ情報に静止画データが含まれる場合、ＣＰＵ１１０は静止画データを生成するようグラフィックコントローラ１１３に対してコマンドを発行し、グラフィックコントローラ１１３ではＣＰＵ１１０から発行されるコマンドに従い線の描画や矩形の描画，矩形単位のデータ移動等の処理を行い、その結果をＲＡＭ（３）１１４に展開する。
【００１８】
ＣＰＵ１１０が各種データ情報として受信した文字データ或いはグラフィックコントローラ１１３により生成された静止画データは、映像信号合成処理部１０８にて映像復号化部１０６から出力される映像情報とともに一旦ＲＡＭ（１）１０９に記憶され、合成処理された後放送受信装置の有する表示部、或いは外部に接続された表示装置１１８へ出力されて再生される。
【００１９】
ＣＰＵ１１０は放送受信装置全体の制御を行うメインのコントローラであり、データ放送として送られる各種データ情報から電子番組表などの静止画データを生成する為にグラフィックコントローラ１１３に指示を出したり、Ｉ／Ｏコントローラ１１６を介して各種入出力装置の制御を行ったり、映像信号合成処理部１０８に対して動画／静止画切換え情報の設定を行ったり、音声復号化部１０５及び映像復号化部１０６に対して再生するチャンネル情報の設定を行う。映像信号合成処理部１０８やグラフィックコントローラ１１３、或いはＩ／Ｏコントローラ１１６は、ＣＰＵの制御信号により構成されるＣＰＵバス１１５を介してＣＰＵ１１０に接続される。また、  ＣＰＵ１１０の実行するプログラムを格納しているＲＯＭ１１１やワーク領域として使われるＲＡＭ（２）１１２も、ＣＰＵバス１１５を介してＣＰＵ１１０に接続される。
【００２０】
次に、映像信号合成処理部１０８にて、ＣＰＵ１１０からの文字データ或いはグラフィックコントローラ１１３により生成された静止画データと映像復号化部１０６からの映像情報とが合成される様子について説明を行う。
図２は映像信号合成処理部１０８の構成を示すブロック図である。
【００２１】
映像復号化部１０６からの映像情報は、解像度変換処理部１０８１にてＣＰＵ１１０により指定される表示サイズへの変換が行われた後、一旦ＦＩＦＯ（１）１０８８に蓄えられ、ＣＰＵバス１１５を介してセットされるグラフィックコントローラ１１３からの静止画データとＣＰＵ１１０からの文字データ及び動画／静止画切換え情報は、それぞれＦＩＦＯ（２）１０８９、ＦＩＦＯ（３）１０９０、ＦＩＦＯ（４）１０９１に一旦蓄えられる。ＦＩＦＯ（１）１０８８、ＦＩＦＯ（２）１０８９、ＦＩＦＯ（３）１０９０、ＦＩＦＯ（４）１０９１に蓄えられたデータは、メモリ制御部１０８２を介してＲＡＭ（１）１０９に記憶される。ここでＲＡＭ（１）１０９は、映像復号化部１０６からの映像情報を記憶する動画プレーン１０９６とグラフィックコントローラ１１３からの画像データを記憶する静止画プレーン１０９７、ＣＰＵ１１０からの文字データを記憶する文字プレーン１０９８、それにＣＰＵ１１０によりセットされる動画／静止画切換え情報を記憶する動画／静止画切換えプレーン１０９９とに分けて管理されているものとする。ＣＰＵ１１０によりセットされる動画／静止画切換え情報は１ビットのデータで、“１”の場合は映像復号化部１０６からの映像情報の出力を、“０”の場合はグラフィックコントローラ１１３からの画像データの出力を示すものとする。
【００２２】
ＲＡＭ（１）１０９へのデータの書き込み及び読み出し等の制御はメモリ制御部１０８２が行う。
【００２３】
タイミング制御部１０８７は、表示装置１１８に表示する為のタイミング信号としての垂直同期信号ＶＳＹＮＣや水平同期信号ＨＳＹＮＣを生成するともに、ＦＩＦＯ（５）１０９２と切換え機構部１０８４に対してデータを出力するタイミングを示すＥＮＡＢＬＥ信号、及び画素クロックとしてのＰＣＬＫ信号を出力する。
【００２４】
タイミング制御部１０８７にて生成されたＶＳＹＮＣ信号とＨＳＹＮＣ信号はメモリ制御部１０８２へも入力され、メモリ制御部１０８２ではこれらの同期信号に基づいてＲＡＭ（１）１０９へのデータの読み書き動作を行う。
【００２５】
ここでメモリ制御部１０８２は、タイミング制御部１０８７から出力されるＨＳＹＮＣ信号が変化したことを検出すると、まず動画／静止画切換えプレーン１０９９から１ライン分の動画／静止画切換え情報を読み出し、切換え情報記憶部１０８３に保存する。次に、動画プレーン１０９６、静止画プレーン１０９７及び文字プレーン１０９８からデータを読み出し、ＦＩＦＯ（５）１０９２へ格納する。ＦＩＦＯ（５）１０９２に格納されたデータは、タイミング制御部１０８７から出力されるＥＮＡＢＬＥ信号により読み出され、動画プレーン１０９６及び静止画プレーン１０９７から読み出されたデータは、予め動画／静止画切換えプレーン１０９９から読み出されて切換え情報記憶部１０８３に記憶されている動画／静止画切換え情報に基づきどちらか一方が選択されて合成部１０８５へ出力される。合成部１０８５では、切換え機構部１０８４からの出力データと、文字プレーン１０９８から読み出されＦＩＦＯ（５）１０９２に格納されている文字データとを合成して、Ｄ／Ａ変換部１０８６へ出力する。Ｄ／Ａ変換部１０８６では、合成部１０８５から出力されてくるデータをアナログデータに変換して出力する。これら切換え機構部１０８４、合成部１０８５、Ｄ／Ａ変換部１０８６は、タイミング制御部１０８７から出力されるＰＣＬＫ信号に同期して動作する。静止画プレーン１０９７、文字プレーン１０９８及び動画／静止画切換えプレーン１０９９の情報は、ＣＰＵ１１０から必要に応じて任意のタイミングでそれぞれＦＩＦＯ（２）１０８９、ＦＩＦＯ（３）１０９０、ＦＩＦＯ（４）１０９１に書き込まれるものとし、ＣＰＵ１１０から書き込まれた情報のみをＶＳＹＮＣ期間等の空き時間に各プレーンへ書き込むものとする。
【００２６】
以上に説明した構成例は、従来の放送受信装置と同様な構成となり、ここまでの構成で生成される表示画面の一例を図３に示す。図３では視聴しているチャンネルの放送で臨時ニュースが流され、表示画面上に臨時ニュースの文字情報が合成されて表示されている例を示している。
【００２７】
次に、本発明の特徴であるところの、臨時情報の処理に関連する放送受信装置１０の構成について説明を行う。
【００２８】
再び図１に戻ると、Ｉ／Ｏコントローラ１１６には、視聴者参加型クイズ番組やテレビショッピング等の番組において視聴者と放送局との双方向通信を実現するためのモデム１２１や、ユーザにより番組選局や音量調整等の操作が行われるリモートコントローラ（以下、略してリモコンと呼ぶ）１２０からの電波を受信するリモコン送受信部１１９が接続され、これらの機器をＣＰＵ１１０からの指示に従い制御を行う。ここで本例では、リモコン送受信部１１９は、例えばＢｌｕｅＴｏｏｔｈのような双方向通信可能な無線技術を用いて構成されており、リモコン１２０からの指示を受信するだけでなく、リモコン１２０に対し情報の発信が可能なものとしている。
【００２９】
デジタル放送では地震情報や台風情報のような緊急情報や選挙時の開票情報のような速報情報などの臨時情報は、データ放送に含まれる番組配列情報から識別することができる。
【００３０】
図４のフローチャートに、ＣＰＵ１１０が臨時情報を受信した際の処理の流れを示す。
【００３１】
ＣＰＵ１１０がデータ復号化部１０７からのデータ放送情報を受信すると（Ｓ１０１）、データ放送情報の中に臨時情報に関する記述が有るかどうかを判断し（Ｓ１０２）、臨時情報に関する記述を検出した場合にはデータ放送情報の中から臨時情報に関する文字データを抜き取り、Ｉ／Ｏコントローラ１１６を介してリモコン送受信部１１９にセットする（Ｓ１０３）。リモコン送受信部１１９は、文字データがセットされたことにより、セットされた文字情報をＧＨｚ帯の電波に変調して送出する。
【００３２】
さらにＣＰＵ１１０は、受信した臨時情報が現在視聴中の番組の放送局から発信されたものかどうかを判断し（Ｓ１０４）、そうである場合には臨時情報に関する文字データをＲＡＭ（１）１０９の文字プレーン１０９８にセットする（Ｓ１０５）。
【００３３】
次に、放送受信装置１０から送出された臨時情報を受信するリモコン１２０の構成について説明を行う。
【００３４】
図５は本例での一実施例としてのリモコン１２０の形状を示す模式図である。
【００３５】
１２０１は放送受信装置１０及び表示装置１１８の電源投入を指示する電源ボタン、１２０２は受信した臨時情報の液晶表示部１２０８への表示を指示する臨時情報ボタン、１２０３は表示装置１１８上に各種設定を行うためのメニュー表示を指示するメニューボタン、１２０４は表示する放送局を選局するためのチャンネルボタン群、１２０５はメニューボタン１２０３により表示されたメニューの中から選択したものを決定するための決定ボタン、１２０６はメニューボタン１２０３により表示されたメニューの中から選択するメニューを上下左右に移動するための十字ボタン、１２０７は表示装置１１８上にカーソル表示がある場合に、カーソルを任意の方向に移動させるための多方向ボタン、１２０８は臨時情報等の文字情報を表示するための液晶表示部、１２０９は臨時情報を受信したことを示す発光ダイオード（以下、ＬＥＤ（ｌｉｇｈｔ‐ｅｍｉｔｔｉｎｇ  ｄｉｏｄｅ）と呼ぶ）である。
【００３６】
以上に述べたリモコン１２０の構成を示すブロック図を図６に示す。
【００３７】
１２０８及び１２０９は、前述した通りそれぞれ液晶表示部とＬＥＤである。
【００３８】
リモコン１２０上に配置されている１２０１から１２０７までの各種ボタンは、スイッチ群１２１１としてまとめて表現している。１２０１から１２０７までの各種ボタンの押下状態はマイクロコントローラ（以下、マイコンと呼ぶ）１２１０により監視され、何らかのボタンが押下された場合にはそのボタンに対応するボタン情報をデータ送受信部１２１２に設定して放送受信装置１０へ送信することとなる。
【００３９】
ここでデータ送受信部１２１２は、放送受信装置１０におけるリモコン送受信部１１９と同様ＢｌｕｅＴｏｏｔｈのような双方向通信可能な無線技術を用いて構成されており、放送受信装置１０に対して指示を送信するだけでなく、放送受信装置１０からの情報も受信可能なものとしている。
【００４０】
１２１３は受信した臨時情報を記憶しておくためのＲＡＭ（４）、１２１４は電子音を鳴らすスピーカであり、以上に述べた構成は全てマイコン１２１０により制御される。
【００４１】
以上に述べた構成によるリモコン１２０が、放送受信装置１０からの臨時情報を含む電波を受信した際の動作を、図７のフローチャートに示す。
【００４２】
リモコン１２０が放送受信装置１０からの臨時情報を受信すると（Ｓ２０１）、マイコン１２１０はまず受信した臨時情報をＲＡＭ（４）１２１３へ書きこみ（Ｓ２０２）、臨時情報を受信したことを示すＬＥＤ１２０９を点滅させる（Ｓ２０３）と共に、スピーカ１２１４から可聴音を所定回数発生させる（Ｓ２０４）。その後視聴者により臨時情報ボタン１２０２が押下され、受信した臨時情報の表示が指示されるのを待ち（Ｓ２０５）、視聴者により臨時情報の表示が指示された場合には、ＲＡＭ（４）１２１３から臨時情報を読み出し、液晶表示部１２０８に臨時情報を表示して（Ｓ２０６）、臨時情報を受信したことを示すＬＥＤ１２０９を消灯する（Ｓ２０７）。液晶表示部１２０８に表示された臨時情報は、マイコン１２１０により所定時間が計時され（Ｓ２０８）、所定時間経過後に自動的にマイコン１２１０により消去される（Ｓ２０９）。
【００４３】
再度視聴者により臨時情報ボタン１２０２が押下され、受信した臨時情報の表示が指示された場合、Ｓ２０６から処理により、再び液晶表示部１２０８に臨時情報が表示される。また、新規に臨時情報を受信した場合には（Ｓ２１０）、Ｓ２０２の処理に戻りＲＡＭ（４）１２１３の内容が更新されて、新規に受信した臨時情報が液晶表示部１２０８に表示されることとなる。
【００４４】
本例では、放送受信装置１０から送出された臨時情報はリモコン１２０が受信するとしたが、リモコンを一般的な赤外線を用いた片方向の通信のみが可能で番組選局や音量調整等の操作のみが行えるものとし、臨時情報の受信は、放送受信装置１０の送出するＧＨｚ帯の電波を受信可能な携帯端末とすることもできる。また本例では、視聴者に臨時情報が有ったことを知らせるのにＬＥＤ１２０９を点滅させるとしたが、ＬＥＤ１２０９を設けずに、液晶表示部１２０８に臨時情報が有ったことを知らせる表示を行うとすることもできる。
【００４５】
以上説明した構成によれば、テレビ視聴中に臨時情報があった場合に、表示画面上に表示される臨時情報を見逃してしまっても、或いは臨時情報の放送されたテレビ局のものとは別の番組を視聴していたとしても、視聴している番組の視聴を中断することなくいつでも臨時情報の確認をすることが可能となる。
【００４６】
（第２実施例）
第１実施例では、番組を視聴中に臨時情報があった場合の臨時情報の処理に関する手段について説明を行った。
【００４７】
本例では、放送受信装置の電源が投入されていない状態で臨時情報があった場合の臨時情報の処理に関する手段について説明を行う。
【００４８】
図８は、本実施例での放送受信装置１０の構成を示したブロック図である。
【００４９】
図８において、１２２は商用電源の供給を受け、待機動作時の電源（ＳＴＡＮＤＢＹ）と通常動作時の電源（ＭＡＩＮ）を生成して放送受信装置１０内に供給する電源供給部である。待機状態においては、電源供給部１２２から待機動作時の電源（ＳＴＡＮＤＢＹ）が復調部１０２、誤り訂正部１０３、多重分離部１０４、データ復号部１０７、ＣＰＵ１１０、Ｉ／Ｏコントローラ１１６、リモコン送受信部１１９、モデム１２１に供給されており、リモコン１２０からの指示或いは放送波に含まれるデータ放送情報を受信できる状態になっている。この状態で図４に示したリモコン１２０の電源ボタン１２０１の押下により電源投入の指示が行われると、電源供給部１２２はデジタル衛星放送受信装置１０への電源の供給を待機動作時の電源（ＳＴＡＮＤＢＹ）から通常動作時の電源（ＭＡＩＮ）に切り替え、放送受信装置１０全体へ電源を供給する。
【００５０】
図９のフローチャートに、本実施例においてＣＰＵ１１０が臨時情報を受信した際の処理の流れを示す。
【００５１】
ＣＰＵ１１０がデータ復号化部１０７からのデータ放送情報を受信すると（Ｓ３０１）、データ放送情報の中に臨時情報に関する記述が有るかどうかを判断し（Ｓ３０２）、臨時情報に関する記述を検出した場合にはデータ放送情報の中から臨時情報に関する文字データを抜き取り、Ｉ／Ｏコントローラ１１６を介してリモコン送受信部１１９にセットする（Ｓ３０３）。次にＣＰＵ１１０は、待機状態で動作しているのか通常動作状態かを判断し（Ｓ３０４）、通常動作状態である場合には更に受信した臨時情報が現在視聴中の番組の放送局から発信されたものかどうかを判断し（Ｓ３０５）、そうである場合には臨時情報に関する文字データをＲＡＭ（１）１０９の文字プレーン１０９８にセットする（Ｓ３０６）。
【００５２】
リモコン１２０ではデジタル衛星放送受信装置１０からの臨時情報を受信すると、図７に示したフローチャートに従い臨時情報を受信したことを示すＬＥＤ１２０９を点滅させる（Ｓ２０３）と共に、スピーカ１２１４から可聴音を所定回数発生させる（Ｓ２０４）。
【００５３】
以上に説明した構成によれば、デジタル衛星放送受信装置１０の電源が切断されているような状態で視聴者が放送受信装置１０の近くにいるような場合には、スピーカ１２１４からの可聴音により臨時情報の有ったことを知ることができ、視聴者が放送受信装置１０の近くにいないような場合にでも、後に視聴者はリモコン１２０のＬＥＤ１２０９を見ることにより臨時情報の有ったことを知ることができ、リモコン１２０の臨時情報ボタン１２０２を押下することでいつでも臨時情報の内容を知ることが可能となる。
【００５４】
（第３実施例）
第１実施例及び第２実施例では、リモコン１２０に双方向通信可能な無線技術を用い、更に臨時情報の表示が可能な液晶表示部１２０８を設けることで、いつでも臨時情報の内容を知ることができる手段について説明を行った。
【００５５】
近年、携帯電話に代表される携帯端末が飛躍的に普及し、どこにいても必要な情報を入手できるような環境になっている。また放送受信装置１０は、前述した通り視聴者参加型クイズ番組やテレビショッピング等の番組において視聴者と放送局との双方向通信を実現するためにモデム１２１が設けられており、モデム１２１を利用することによりデジタル衛星放送受信装置１０からの情報の発信が可能である。
【００５６】
本例では、放送受信装置１０が臨時情報を受信した場合に、モデム１２１を介して視聴者の携帯端末に臨時情報を発信する手段について説明を行う。
【００５７】
図１０は、放送受信装置１０と視聴者の有する携帯端末４０とのつながりを示す模式図である。
【００５８】
放送受信装置１０は、第２実施例の図８で示したものと同じ構成を有しているものとし、電源が切断されているような状態でも放送波に含まれるデータ放送情報を受信可能である。更に放送受信装置１０内のモデム１２１は電源供給部１２２からのＳＴＡＮＤＢＹ電源の供給を受けており、電源が切断されているような状態でも動作している。このような構成を有した放送受信装置１０は、モデム１２１を介して公衆回線網２０に接続され、離れた地域との通信が可能となる。
【００５９】
また携帯端末４０は、図６に示したリモコン２１０の構成と同等の機能を有しているものとし、基地局３０を介して公衆回線網２０に接続される。
【００６０】
基地局３０は有線で情報のやり取りを行う公衆回線網２０と無線で情報のやり取りを行う携帯端末４０との中継を行うものである。
【００６１】
以上のような構成で、放送受信装置１０が臨時情報を受信した場合に、受信した臨時情報を視聴者の携帯端末に発信される手順について以下に説明を行う。
【００６２】
放送受信装置１０では、予めメニュー画面により、受信した臨時情報を携帯端末４０に転送するかどうかが設定されているものとする。
【００６３】
図１１は、臨時情報設定メニュー画面の一表示例を示すものである。視聴者はこの画面上で、放送受信装置１０が臨時情報を受信した場合に、その情報を携帯端末４０に転送するかどうかを設定する。画面上で“転送を行わない”を選択すると、放送受信装置１０は臨時情報を受信した場合に、第１実施例で説明したように受信した臨時情報をリモコン送受信部１１９を介してリモコン１２０へ転送する。画面上で“転送を行う”を選択すると、転送先の入力欄が有効となり、視聴者は転送を希望する連絡先を入力する。この状態で放送受信装置１０が臨時情報を受信すると、放送受信装置１０は受信した臨時情報をモデム１２１を介して携帯端末４０へ転送することとなる。
【００６４】
図１２のフローチャートに、本実施例においてＣＰＵ１１０が臨時情報を受信した際の処理の流れを示す。
【００６５】
ＣＰＵ１１０がデータ復号化部１０７からのデータ放送情報を受信すると（Ｓ４０１）、データ放送情報の中に臨時情報に関する記述が有るかどうかを判断し（Ｓ４０２）、臨時情報に関する記述を検出した場合にはデータ放送情報の中から臨時情報に関する文字データを抜き取り、次に、臨時情報設定メニュー画面により転送の指示があるかどうかを判断する（Ｓ４０３）。転送の指示がない場合には、臨時情報に関する文字データをＩ／Ｏコントローラ１１６を介してリモコン送受信部１１９にセットする（Ｓ４０４）。転送の指示がある場合には、臨時情報に関する文字データをＩ／Ｏコントローラ１１６を介してモデム１２１にセットする（Ｓ４０５）。
【００６６】
次にＣＰＵ１１０は、待機状態で動作しているのか通常動作状態かを判断し（Ｓ４０６）、通常動作状態である場合には更に受信した臨時情報が現在視聴中の番組の放送局から発信されたものかどうかを判断し（Ｓ４０７）、そうである場合には臨時情報に関する文字データをＲＡＭ（１）１０９の文字プレーン１０９８にセットする（Ｓ４０８）。
【００６７】
以上に説明した構成によれば、臨時情報設定メニュー画面にて転送の指示をすることにより、放送受信装置１０は受信した臨時情報をモデム１２１を介して視聴者の携帯端末に発信することとなり、視聴者が放送受信装置１０から離れている場所にいたとしても、瞬時に臨時情報の内容を知ることが可能となる。
【００６８】
【発明の効果】
以上説明した通り、第１実施例で示した構成によれば、番組視聴中に臨時情報があった場合に、表示画面上に表示される臨時情報を見逃してしまっても、或いは臨時情報の放送されたテレビ局のものとは別の番組を視聴していたとしても、視聴している番組の視聴を中断することなくいつでも臨時情報の確認をすることが可能となる。
【００６９】
更に第２実施例で示した構成によれば、放送受信装置の電源が切断されているような状態で視聴者が放送受信装置の近くにいるような場合には、リモコンのスピーカから発生される可聴音により臨時情報の有ったことを知ることができ、視聴者が放送受信装置の近くにいないような場合にでも、後に視聴者はリモコンのＬＥＤを見ることにより臨時情報の有ったことを知ることができ、リモコンに設けられた臨時情報ボタンを押下することでいつでも臨時情報の内容を知ることが可能となる。
【００７０】
更に第３実施例で示した構成によれば、視聴者が放送受信装置から離れている場所にいたとしても、瞬時に臨時情報の内容を知ることが可能となる。
【図面の簡単な説明】
【図１】本発明の第１実施例におけるデジタル衛星放送受信装置の構成を示したブロック図。
【図２】本発明の第１実施例における映像信号合成処理部の構成を示したブロック図。
【図３】本発明の実施例において，表示画面の一例を示す模式図。
【図４】本発明の第１実施例において，臨時情報を受信した際のＣＰＵにおける処理の様子を示すフローチャート。
【図５】本発明の一実施例としてのリモコンの形状を示した模式図。
【図６】本発明の一実施例としてのリモコンの構成を示したブロック図。
【図７】本発明の実施例において，臨時情報を受信した際のマイコンにおける処理の様子を示すフローチャート。
【図８】本発明の第２実施例におけるデジタル衛星放送受信装置の構成を示したブロック図。
【図９】本発明の第２実施例において，臨時情報を受信した際のＣＰＵにおける処理の様子を示すフローチャート。
【図１０】本発明の第３実施例において、デジタル衛星放送受信装置と携帯端末の接続を示した模式図。
【図１１】本発明の第３実施例において，臨時情報設定メニューの表示画面の一例を示す模式図。
【図１２】本発明の第３実施例において，臨時情報を受信した際のＣＰＵにおける処理の様子を示すフローチャート。
【符号の説明】
１０  デジタル衛星放送受信装置
２０  公衆回線網
３０  基地局
４０  携帯端末
１０１  受信アンテナ
１０２  復調部
１０３  誤り訂正部
１０４  多重化分離部
１０５  音声復号化部
１０６  映像復号化部
１０７  データ復号化部
１０８  映像信号合成処理部
１０９  ＲＡＭ（１）
１１０  ＣＰＵ
１１１  ＲＯＭ
１１２  ＲＡＭ（２）
１１３  グラフィックコントローラ
１１４  ＲＡＭ（３）
１１５  ＣＰＵバス
１１６  Ｉ／Ｏコントローラ
１１７  スピーカ
１１８  表示装置
１１９  リモコン送受信部
１２０  リモコン
１２１  モデム
１２２  電源供給部
１０８１  解像度変換処理部
１０８２  メモリ制御部
１０８３  切換え情報記憶部
１０８４  切換え機構部
１０８５  合成部
１０８６  Ｄ／Ａ変換部
１０８７  タイミング制御部
１０８８  ＦＩＦＯ（１）
１０８９  ＦＩＦＯ（２）
１０９０  ＦＩＦＯ（３）
１０９１  ＦＩＦＯ（４）
１０９２  ＦＩＦＯ（５）
１０９６  動画プレーン
１０９７  静止画プレーン
１０９８  文字プレーン
１０９９  動画／静止画切換えプレーン
１２０１  電源ボタン
１２０２  臨時情報ボタン
１２０３  メニューボタン
１２０４  チャンネルボタン群
１２０５  決定ボタン
１２０６  十字ボタン
１２０７  多方向ボタン
１２０８  液晶表示部
１２０９  ＬＥＤ
１２１０  マイコン
１２１１  スイッチ群
１２１２  データ送受信部
１２１３  ＲＡＭ（４）
１２１４  スピーカ
【図１】
2004336413.tif 000003
【図２】
2004336413.tif 000004
【図３】
2004336413.tif 000005
【図４】
2004336413.tif 000006
【図５】
2004336413.tif 000007
【図６】
2004336413.tif 000008
【図７】
2004336413.tif 000009
【図８】
2004336413.tif 000010
【図９】
2004336413.tif 000011
【図１０】
2004336413.tif 000012
【図１１】
2004336413.tif 000013
【図１２】
2004336413.tif 000014